(57)【要約】【課題】  二つ折り防火扉の密閉性を高める。【解決手段】  二つ折り防火扉のロック装置が、第一の扉（６ａ）が通路開口部を閉鎖した後に、第二の扉が通路開口部の残りの部分の閉鎖を開始すると、第一の扉の上端から通路開口部の上枠（８ｃ）に向かって突出する係合突起（２０）と、この係合突起が嵌まり込む上枠に固定された固定具（２１）とを備える。固定具が、通路開口部の上枠に向かって突出する係合突起（２０）が嵌まり込む嵌合部（２１ａ）と、嵌合部を保持する固定部（２１ｂ）と、固定部上で嵌合部を係合突起に対して位置調整する位置調整手段（３１）と、嵌合部が係合突起に当接した位置で嵌合部を固定部に固定する固定手段（３８）とを備える。位置調整手段により嵌合部を係合突起に当接せしめたところで、固定手段（３８）により嵌合部を固定する。これにより二つ折り防火扉の密閉性が高まる。【選択図】  図７
2005314971.tif 000002
【特許請求の範囲】
【請求項１】
二つ折り可能に連結された第一と第二の扉のうち第一の扉が通路開口部の片側を閉鎖した後に、第二の扉が通路開口部の残りの片側の閉鎖を開始すると、第一の扉の上端から通路開口部の上枠に向かって突出する係合突起と、この係合突起が嵌まり込む通路開口部の上枠に固定された固定具とを備えた二つ折り防火扉のロック装置において、上記固定具が、上記通路開口部の上枠に向かって突出する係合突起が嵌まり込む嵌合部と、嵌合部を保持する上記上枠に固定された固定部と、固定部上で嵌合部を係合突起に対して位置調整する位置調整手段と、位置調整手段によって嵌合突起が係合突起に当接した位置で嵌合突起を固定部に固定する固定手段とを具備したことを特徴とする二つ折り防火扉のロック装置。
【発明の詳細な説明】
【技術分野】
【０００１】
本発明は、二つ折り防火扉のロック装置に関する。
【背景技術】
【０００２】
従来、二つ折り防火扉においては、火災発生により防火扉が閉められた時それ以上炎や煙が広がるのを防止するため一度閉じた防火扉が簡単に開かないように、図１０に示すように、防火扉１側にロック装置の本体２を設け、通路開口部の扉枠３側に、ロック装置の本体２に組み込まれた係合突起４が係合する固定具５を設けている。防火扉１が通路開口部を閉じると、係合突起４が固定具５と係合し、防火扉１を閉位置にロックする（例えば、特許文献１，２参照。）。
【０００３】
【特許文献１】実開昭６０−９１７７２号公報
【特許文献２】特開昭６２−３８１８２号公報
【発明の開示】
【発明が解決しようとする課題】
【０００４】
しかしながら、従来の固定具５は単に扉枠３にネジなどを用いて固定するのみであるため、図１０に示すように、施工時の取付位置によっては防火扉１が閉じた状態でロック装置の本体２に組み込まれている係合突起４と固定具５との係合箇所に隙間Ａができる場合がある。防火扉１は閉まった状態では防火扉１に取り付けられたオートスイングヒンジにより扉枠３に押し付けられているが、圧力の高まりにより防火扉１を開く力がオートスイングヒンジによる押付力よりも大きくなると上記隙間Ａ分だけ防火扉１が扉枠３から離れ、そこから煙等が侵入する可能性がある。
【０００５】
したがって、本発明は上記隙間Ａを解消することができる二つ折り防火扉のロック装置を提供することを目的とする。
【課題を解決するための手段】
【０００６】
上記課題を解決するため、請求項１に係る発明は、二つ折り可能に連結された第一と第二の扉（６ａ，６ｂ）のうち第一の扉（６ａ）が通路開口部（８）の片側を閉鎖した後に、第二の扉（６ｂ）が通路開口部（８）の残りの片側の閉鎖を開始すると、第一の扉（６ａ）の上端から通路開口部（８）の上枠（８ｃ）に向かって突出する係合突起（２０）と、この係合突起（２０）が嵌まり込む通路開口部（８）の上枠（８ｃ）に固定された固定具（２１）とを備えた二つ折り防火扉のロック装置において、上記固定具（２１）が、上記通路開口部（８）の上枠（８ｃ）に向かって突出する係合突起（２０）が嵌まり込む嵌合部（２１ａ）と、嵌合部（２１ａ）を保持する上記上枠（８ｃ）に固定された固定部（２１ｂ）と、固定部（２１ｂ）上で嵌合部（２１ａ）を係合突起（２０）に対して位置調整する位置調整手段（３１）と、位置調整手段（３１）によって嵌合部（２１ａ）が係合突起（２０）に当接した位置で嵌合部（２１ａ）を固定部（２１ｂ）に固定する固定手段（３８）とを具備した二つ折り防火扉のロック装置を採用する。
【発明の効果】
【０００７】
請求項１に係る発明によれば、二つ折り可能に連結された第一と第二の扉（６ａ，６ｂ）のうち第一の扉（６ａ）が通路開口部（８）の片側を閉鎖した後に、第二の扉（６ｂ）が通路開口部（８）の残りの片側の閉鎖を開始すると、第一の扉（６ａ）の上端から通路開口部（８）の上枠（８ｃ）に向かって突出する係合突起（２０）と、この係合突起（２０）が嵌まり込む通路開口部（８）の上枠（８ｃ）に固定された固定具（２１）とを備えた二つ折り防火扉のロック装置において、上記固定具（２１）が、上記通路開口部（８）の上枠（８ｃ）に向かって突出する係合突起（２０）が嵌まり込む嵌合部（２１ａ）と、嵌合部（２１ａ）を保持する上記上枠（８ｃ）に固定された固定部（２１ｂ）と、固定部（２１ｂ）上で嵌合部（２１ａ）を係合突起（２０）に対して位置調整する位置調整手段（３１）と、位置調整手段（３１）によって嵌合部（２１ａ）が係合突起（２０）に当接した位置で嵌合部（２１ａ）を固定部（２１ｂ）に固定する固定手段（３８）とを具備した二つ折り防火扉のロック装置であるから、第一の扉（６ａ）が通路開口部（８）の片側を閉鎖した後に、第二の扉（６ｂ）が通路開口部（８）の残りの片側の閉鎖を開始すると、係合突起（２０）が上枠（８ｃ）に向かって突出し固定具（２１）の嵌合部（２１ａ）に嵌まり込み、この状態において位置調整手段（３１）により嵌合部（２１ａ）を固定部（２１ｂ）上で位置調整し係合突起（２０）に当接せしめたところで、固定手段（３８）により嵌合部（２１ａ）を当該位置に固定すると、二つ折り防火扉が閉鎖位置にがたつかないようにロックされる。従って、例えば二つ折り防火扉の取付施工時、点検時等において上記作業を行っておけば、火災発生時防火扉が閉じた際に防火扉と扉枠の隙間からの煙の侵入が適正に防止される。
【発明を実施するための最良の形態】
【０００８】
以下、図面を参照して発明を実施するための最良の形態について説明する。
【０００９】
図１に示すように、二つ折り防火扉は二つ折り可能に連結された第一と第二の扉６ａ，６ｂを備え、図２（Ａ）に示すように第一と第二の扉６ａ，６ｂが折り畳まれた状態で戸袋７内に収納され、図２（Ｄ）に示すように第一と第二の扉６ａ，６ｂが戸袋７から出て一垂直面上に展開した状態で通路開口部８を閉鎖するように形成される。図１及び図２（Ａ）〜（Ｄ）において、符号８ａ，８ｂは通路開口部８に設けられた扉枠の左右の側枠を示し、符号８ｃは上枠を示す。
【００１０】
図１に示すように、第一の扉６ａは通路開口部８の一側壁８ａに対して第一のヒンジ９ａ及びオートスイングヒンジ９ｂを介して連結され、第一のオートスイングヒンジ９ｂにより戸袋７内から通路開口部８の方へと常時付勢される。また、第一と第二の扉６ａ，６ｂの間は第二のヒンジ１０ａ及びオートスイングヒンジ１０ｂを介して連結され、第二の扉６ｂは第一の扉６ａに対して第二のオートスイングヒンジ１０ｂにより常時展開する方向に付勢される。
【００１１】
図１及び図２に示すように、戸袋７の上枠には電磁レリーズ１１が取り付けられ、図２（Ａ）に示すように、電磁レリーズ１１によって第一と第二の扉６ａ，６ｂは折り畳まれた状態で戸袋７内に保持される。火災信号等により電磁レリーズ１１が作動すると、図２（Ｂ）に示すように、第一と第二の扉６ａ，６ｂは電磁レリーズ１１による拘束を解かれて折り畳まれた状態のまま第一のオートスイングヒンジ９ｂにより戸袋７から引き出され、通路開口部８の方へと回転する。
【００１２】
図１及び図２（Ａ）（Ｂ）（Ｃ）に示すように、第一の扉６ａと第二の扉６ｂとの間にはラッチ装置１２が設けられる。第二の扉６ｂは第一の扉６ａと共に戸袋７から出て第一の扉６ａが通路開口部８の片側を閉鎖するまで、第一の扉６ａに対してラッチ装置１２により拘束される。第一の扉６ａが通路開口部８の片側を閉じると、ラッチ装置１２が解除され、図２（Ｄ）に示すように第二の扉６ｂが第二のオートスイングヒンジ１０ｂの付勢力によって回転し通路開口部８の残りの片側を閉鎖する。また、図１及び図２（Ｃ）（Ｄ）に示すように、第一の扉６ａと扉枠との間にはロック装置１３が設けられる。第一の扉６ａが通路開口部８の扉枠に当たって通路開口部８の片側を閉鎖すると、ラッチ装置１２に連動してロック装置１３が第一の扉６ａをその閉鎖位置に固定する。ラッチ装置１２及びロック装置１３の詳細は次に述べる。
【００１３】
図１、図３（Ａ）（Ｂ）及び図４（Ｃ）（Ｄ）に示すように、ラッチ装置１２は、第二の扉６ｂの上部に取り付けられるラッチ１４と、第一の扉６ａの上部に取り付けられるラッチ受け１５とを具備する。
【００１４】
ラッチ１４は第一の扉６ａから第二の扉６ｂに向かって突出するフック１６の先端に水平ピン１７を介して第二の扉６ｂ側に返し状に突出するよう支持される。水平ピン１７には図示しないトーションバネが取り付けられ、このトーションバネによってラッチ１４は図３及び図４中時計方向に常時付勢される。
【００１５】
ラッチ受け１５は第一の扉６ａの上部に固定されたブラケット状の枠体１８内に設けられる。ラッチ受け１５は具体的には枠体１８と一体的に設けられた垂直板であり、その背面にラッチ１４の先端が引っ掛かるよう形成される。枠体１８は箱状のカバー１９で覆われる。
【００１６】
ラッチ装置１２は、図２（Ａ）（Ｂ）に示すように第一と第二の扉６ａ，６ｂが戸袋７内に収まっているときと戸袋７から出て通路開口部８へと回転するときに、図３（Ａ）（Ｂ）に示すようにラッチ１４がラッチ受け１５に係合した拘束状態にあり、第二の扉６ｂを第一の扉６ａに対し折り畳み状態に保持する。
【００１７】
図１、図３（Ａ）（Ｂ）及び図４（Ｃ）（Ｄ）に示すように、ロック装置１３は、第一の扉６ａの上部に出没可能に設けられる係合突起２０と、この係合突起２０が嵌まり込む通路開口部８の上枠８ｃに固定された固定具２１とを具備する。
【００１８】
係合突起２０は、第一の扉６ａの開閉方向と直角に伸びる第一の水平ピン２２を介し上記枠体１８に支持される。第一の水平ピン２２には図示しないトーションバネが装着され、このトーションバネによって係合突起２０は図３及び図４中時計方向に常時付勢され、第一の扉６ａの上端から突出しようとする。係合突起２０は図２（Ｃ）（Ｄ）に示すように通路開口部８を遮蔽するときに図４（Ｄ）のごとく固定具側に突出し、図２（Ｄ）（Ｃ）に示すように通路開口部８を開くときに図４（Ｃ）のごとく反固定具側に没するよう動作するようになっており、この動作は上記ラッチ装置１２とロック装置１３との間に介在する係合レバー２３と解除レバー２４とを介して切り替えられる。
【００１９】
図３及び図４に示すように、係合レバー２３は係合突起２０から第一の水平ピン２２を乗り越えるように突出し、枠体１８内をラッチ装置１２のフックの先端に臨むように下方に伸びる。図２（Ａ）（Ｂ）に示すように第一と第二の扉６ａ，６ｂが戸袋７内に収まっているときと戸袋７から出て通路開口部８へと回転するときに、図３（Ａ）（Ｂ）に示すようにラッチ１４はラッチ受け１５に係合し、同時にラッチ１４を支持したフック１６の先端が係合レバー２３を反時計方向に押し、その結果係合突起２０が反時計方向に回転して第一の扉６ａの上端下に没する。
【００２０】
解除レバー２４は上記枠体１８内に第一の水平ピン２２と平行に配置される第二の水平ピン２５に支持され、その一端は第一の扉６ａの上端から出没可能であり、他端は枠体１８内に侵入したラッチ１４に接離可能である。解除レバー２４は第二の水平ピン２５に装着された図示しないトーションバネによりその一端が第一の扉６ａの上端から突出する方向に常時付勢される。図２（Ｃ）に示すように、第一の扉６ａが通路開口部８を塞ぐと、図４（Ｃ）に示すように解除レバー２４はその一端が扉枠の上枠８ｃに固定された固定具２１に押されトーションバネの付勢力に抗して第二の水平ピン２５の回りを反時計方向に回動し、他端でラッチ１４を押圧する。押圧されたラッチ１４はラッチ受け１５から外れ、ラッチ受け１５による拘束から解放され、その結果ラッチ１４は第二のオートスイングヒンジ１０ｂにより閉方向に回転する第二の扉６ｂと共に移動し、図４（Ｄ）に示すように枠体１８外へと離脱する。また、第二の扉６ｂが閉方向に回転し始めると、係合レバー２３がフック１６の押圧から解放され、その結果トーションバネの付勢力で係合突起２０が第一の扉６ａの上端から突出して固定具２１に嵌まり込み、第一の扉６ａのロックが完了する。
【００２１】
なお、この係合突起２０が固定具２１と係合することによる扉の保持力は加減可能である。図３及び図４に示すように、加減ネジ２６がラッチ受け１５に螺合し、その先端が係合レバー２３に接している。この加減ネジ２６を回し係合レバー２３を介して係合突起２０の突出量を加減することにより、扉の保持力を調整することができる。
【００２２】
固定具２１は、図５乃至図８に示すように、通路開口部８の上枠８ｃに向かって突出する係合突起２０が嵌まり込む嵌合部２１ａと、嵌合部２１ａを保持する上記上枠８ｃに固定された固定部２１ｂと、固定部２１ｂの上面に添えられるスライド部２１ｃとを具備する。
【００２３】
上枠８ｃは、図５乃至図７に示すように、閉状態にある第一と第二の扉６ａ，６ｂの上端に対向する水平部２７と、水平部２７の前縁から第一と第二の扉６ａ，６ｂの前面パネルに平行に起立する起立部２８と、水平部２７の後縁に形成される戸当り２９とを有する。水平部２７には嵌合部２１ａを第一の扉６ａの上端側に露出させる開口３０が形成され、起立部２８には後述する位置調整手段の調整ネジ３１の頭部を露出させる調整孔３２が形成される。また、戸当り２９には第一と第二の扉６ａ，６ｂの背面パネルが当接する気密材３３が取り付けられる。
【００２４】
嵌合部２１ａは、図７に示すように、第一の扉６ａの上端から突出した係合突起２０が嵌まり込む嵌合突起３４と、解除レバー２４を第一の扉６ａの上端下に押し込む押圧面３５とを有する。嵌合部２１ａはその嵌合突起３４と押圧面３５が上枠８ｃの開口３０から第一の扉６ａの上端に向かって突出するように、固定部２１ｂに対し取り付けられる。
【００２５】
固定部２１ｂは、図５乃至図７に示すように、通路開口部８における上枠８ｃの内面に固定される。具体的には上枠８ｃの水平部２７と起立部２８とにそれぞれ止めネジ３６で動かないように固定される。
【００２６】
嵌合部２１ａは、位置調整手段により固定部２１ｂ上で係合突起２０に対し位置調整可能であり、固定手段により調整後の位置に固定可能である。
【００２７】
すなわち、図５に示すように固定部２１ｂには上枠８ｃの扉開閉方向に伸びる複数個の長孔３７が形成され、図８に示すように長孔３７に重なるよう嵌合部２１ａには丸孔が形成され、図５、図７及び図８に示すように固定部２１ｂの下面に嵌合部２１ａが当てられると共に固定部２１ｂの上面にスライド部２１ｃが当てられ、固定ネジ３８が嵌合部２１ａの丸孔と固定部２１ｂの長孔３７とを下方から貫通しスライド部２１ｃに螺合する。また、図５乃至図８に示すように上枠８ｃの起立部２８には調整ネジ３１が上枠８ｃにおける扉開閉方向に伸びるように保持され、上記スライド部２１ｃに螺合する。調整ネジ３８は起立部２８に対し回転のみ可能なように止めリング３９で保持され、その頭部が上枠８ｃにおける起立部２８の調整孔３２から通路開口部８の前方に露出している。
【００２８】
防火扉の施工当初、図１０に示したように防火扉１で通路開口部を閉鎖した際に固定具５と係合突起４との間に隙間Ａが生じているものとすると、火災発生時の昇圧等によりこの隙間Ａ分だけ防火扉１が扉枠３から離れ、そこから煙等が侵入する可能性がある。そこで、調整手段としての調整ネジ３１が操作されこの隙間Ａが解消される。すなわち、固定手段としての固定ネジ３８が緩められ、スライド部２１ｃ及び嵌合部２１ａが固定部２１ｂに対してスライド可能に接する。そこで上枠８ｃから露出する調整ネジ３１の頭部に図示しない工具が係止され調整ネジ３１が回されることにより、スライド部２１ｃ及び嵌合部２１ａが固定部２１ｂに対してスライドし、図７に示すように嵌合部２１ａの嵌合突起３４が扉側の係合突起２０に接触する。これにより、上記隙間Ａが解消され、火災発生時の昇圧等によっても防火扉は扉枠に対し密着状態を保持し煙等の侵入を阻止する。
【００２９】
次に、上記構成の二つ折り防火扉のロック装置の作用について説明する。
【００３０】
（１）防火扉の取付工事、点検作業等を行う際に、防火扉を図２（Ａ）（Ｂ）に示す全開状態又は半開状態にして扉枠の上枠８ｃ下から固定ネジ３８を緩める。固定ネジ３８はスライド部２１ｃから抜き取る必要はなく、スライド部２１ｃと嵌合部２１ａが固定部２１ｂに対し摺動可能になる程度にわずかに緩めることで足る。
【００３１】
（２）電磁レリーズ１１を解除すると、第一のオートスイングヒンジ９ｂにより、図２（Ｂ）に示すごとく防火扉が閉方向に回転する。図２（Ｃ）に示すように第一の扉６ａが通路開口部８を塞ぐと、図４（Ｃ）に示すように解除レバー２４の一端が上枠８ｃに設置された固定具２１における嵌合部２１ａの押圧面３５に押されて第二の水平ピン２５の回りを反時計方向に回動し、他端でラッチ１４を押圧する。押圧されたラッチ１４はラッチ受け１５から外れ、その結果第二の扉６ｂは第二のオートスイングヒンジ１０ｂにより閉方向に回転し通路開口部８を閉じる。また、第二の扉６ｂが閉方向に回転し始めると、図４（Ｄ）に示すように係合レバー２３がフック１６の押圧から解放され、その結果トーションバネの付勢力で係合突起２０が第一の扉６ａの上部から突出して固定具２１側の嵌合突起３４に係合し第一の扉６ａをロックする。これにより、図１及び図２（Ｄ）に示すように防火扉は通路開口部８を全閉する。
【００３２】
（３）図６に示すように上枠８ｃの起立部２８から露出する調整ネジ３１の頭部に対し図示しないドライバ等の工具を係止し調整ネジ３１を回す。すなわち、図９に示すごとく係合突起２０と嵌合突起３４との間に隙間Ｂが生じるように嵌合部２１ａを上枠８ｃの起立部２８寄りの位置へとスライドさせる。
【００３３】
（４）この状態で防火扉を開閉方向に動かすと、上記隙間Ｂ分だけ防火扉が開閉方向に動く。
【００３４】
（５）調整ネジ３１を回して嵌合部２１ａを扉の閉方向にスライドさせ、図７に示すように嵌合突起３４が係合突起２０に当って上記隙間Ｂが解消し防火扉が開閉方向に動かなくなるように調整する。
【００３５】
（６）防火扉を開き、固定ネジ３８を締め付けて嵌合部２１ａとスライド部２１ｃとを固定部２１ｂに対し動かないように固定する。
【００３６】
（７）図２（Ｄ）（Ｃ）に示すように、第二の扉６ｂを第二のオートスイングヒンジ１０ｂの付勢力に抗するように開方向に押し第一の扉６ａに重ねる。図４（Ｄ）（Ｃ）に示すように、フック１６が枠体１８内に侵入し係合レバー２３を扉の閉方向に押すことから、係合突起２０が固定具２１側の嵌合突起３４から離反し第一の扉６ａの上端下に没する。これにより防火扉のロックが解除される。図２（Ｂ）に示すように、第一のオートスイングヒンジ９ｂの付勢力に抗するように第一の扉６ａを開方向に回転させると、図３（Ｂ）に示すように、解除レバー２４が固定具２１側の押圧面３５による押圧から解放されトーションバネの付勢力により時計方向に回転する。その結果、ラッチ１４がラッチ受け１５に係合し、第二の扉６ｂが第一の扉６ａに連結される。
【００３７】
（８）図２（Ａ）に示すように、重なり合った第一と第二の扉６ａ，６ｂを戸袋７内に収納すると、図３（Ａ）に示すように、解除レバー２４は戸袋７の上枠７ａに当接して更に時計方向に回転して停止する。また、電磁レリーズ１１が第二の扉６ｂに係止し、第一と第二の扉６ａ，６ｂを戸袋７内に拘束する。これにより、通路開口部８は全開する。
【００３８】
（９）火災信号等により電磁レリーズ１１が作動すると、第一と第二の扉６ａ，６ｂは電磁レリーズ１１による拘束を解かれる。図２（Ｂ）に示すように、第一と第二の扉６ａ，６ｂは折り畳まれた状態のまま第一のオートスイングヒンジ９ｂにより戸袋７から引き出され、通路開口部８の方へと回転する。図３（Ｂ）に示すように、第一と第二の扉６ａ，６ｂが戸袋７から出ると解除レバー２４が戸袋７の上枠７ａによる押圧から解放され第一の扉６ａの上端から突出する。
【００３９】
（１０）図２（Ｃ）に示すように、第一の扉６ａが通路開口部８の片側を閉鎖すると、図４（Ｃ）に示すように、解除レバー２４はその一端が通路開口部８の上枠８ｃにおける嵌合部２１ａの押圧面３５に押圧されることにより反時計方向に回転し、他端でラッチ１４を押圧する。これにより、ラッチ１４はラッチ受け１５から離反し、第二の扉６ｂが第二のオートスイングヒンジ１０ｂにより閉方向に回動し、図１及び図２（Ｄ）に示すように通路開口部８の残りの片側を閉鎖する。
【００４０】
（１１）かくて通路開口部８が防火扉により全閉される。ここに上述の調整ネジ３１による調整によって係合突起２０と嵌合突起３４との間の隙間Ｂは解消しているので、圧力の高まりにより防火扉を開く力がオートスイングヒンジ９ｂによる押付力よりも大きくなっても防火扉が扉枠から離れることはなく、従って煙等の侵入が防止される。
【００４１】
以上本発明の好ましい実施の形態について説明したが、本発明はこれらの実施の形態に限定されるものではない。例えば、上記実施の形態では防火扉を右勝手として構成したが、本発明は左勝手の防火扉についても適用可能である。
【図面の簡単な説明】
【００４２】
【図１】本発明に係るロック装置を備えた二つ折り防火扉の斜視図である。
【図２】上記二つ折り防火扉の開閉動作を表す平面図である。
【図３】（Ａ）は図２（Ａ）中、ＩＩＩａ−ＩＩＩａ線矢視断面図、（Ｂ）は図２（Ａ）中、ＩＩＩｂ−ＩＩＩｂ線矢視断面図である。
【図４】（Ｃ）は図２（Ｃ）中、ＩＶｃ−ＩＶｃ線矢視断面図、（Ｄ）は図２（Ｄ）中、ＩＶｄ−ＩＶｄ線矢視断面図である。
【図５】図２（Ｄ）中、Ｖ部分拡大図である。
【図６】図５で示す部分の正面図である。
【図７】図５で示す部分の側面図である。
【図８】図７中、ＶＩＩＩ−ＶＩＩＩ線矢視断面図である。
【図９】図７において嵌合突起と係合突起との間に隙間を形成した状態を示す図である。
【図１０】従来のロック装置を示す断面図である。
【符号の説明】
【００４３】
６ａ…第一の扉
６ｂ…第二の扉
８…通路開口部
８ｃ…上枠
２０…係合突起
２１…固定具
２１ａ…嵌合部
２１ｂ…固定部
３１…調整ネジ
３８…固定ネジ
【図１】
2005314971.tif 000003
【図２】
2005314971.tif 000004
【図３】
2005314971.tif 000005
【図４】
2005314971.tif 000006
【図５】
2005314971.tif 000007
【図６】
2005314971.tif 000008
【図７】
2005314971.tif 000009
【図８】
2005314971.tif 000010
【図９】
2005314971.tif 000011
【図１０】
2005314971.tif 000012